(57)【特許請求の範囲】
【請求項１】
鉄道車両において、運転台に備えられ、走行する路線の時刻表を表示し触れたことを感知するタッチパネル式表示器と、前記表示器へのタッチ動作の操作データを記録する記録部とからなることを特徴とする時刻表システム。
【請求項２】
鉄道運転訓練装置において、運転台に備えられ、訓練生が体験する車線の時刻表を表示し触れたことを感知するタッチパネル式表示器と、前記表示器へのタッチ動作の操作データを評価する評価部とを有することを特徴とする時刻表システム。
【発明の詳細な説明】
【技術分野】
【０００１】
本発明は、鉄道運転士が運転中の時刻表確認のための時刻表システムに関し、模擬装置及び実車にも用いることができるものである。
【背景技術】
【０００２】
鉄道運転士のヒューマン・エラーを防止する手段に指差確認がある。中でも時刻表の確認は、Ｌ字確認が必要とされている。
Ｌ字確認の動作記録のために、実車では、運転台にある時刻表掲示個所の横にスイッチを設けて、Ｌ字確認毎に、このスイッチを触れさせて、この触れた回数をカウントしている。
訓練では、運転士の時刻表確認動作に対し、そのタイミングと確認方法が正しいかどうかを、教官が常に目視で判断し、採点を行っている。
【０００３】
上記のように、実車では、Ｌ字確認毎に、スイッチを触れさせて、その触れた回数をカウントしているだけで、正しい確認動作であることは確認できなかった。
また、訓練装置においては、Ｌ字確認の評価を教官に目視させ、その判断の採点によるものであり、教官の負担が大きなものであった。
【発明の開示】
【発明が解決しようとする課題】
【０００４】
解決しようとする問題点は、実車において、正しいＬ字確認をしたことの確認できないことである。
さらに、解決しようとする問題点は、訓練装置において、Ｌ字確認の評価に際する教官の負担を軽減することにある。
【課題を解決するための手段】
【０００５】
上記課題を解決するため請求項１に係る時刻表システムは、鉄道車両において、運転台に備えられ、走行する路線の時刻表を表示し触れたことを感知するタッチパネル式表示器と、前記表示器へのタッチ動作の操作データを記録する記録部とからなることを特徴とするものである。
【０００６】
上記課題を解決するため請求項２に係る時刻表システムは、鉄道運転訓練装置において、運転台に備えられ、訓練生が体験する車線の時刻表を表示し触れたことを感知するタッチパネル式表示器と、前記表示器へのタッチ動作の操作データを評価する評価部とを有することを特徴とするものである。
【発明の効果】
【０００７】
請求項１に係る時刻表システムによると、運転士がタッチパネル式表示器に表示された時刻表に触れてＬ字確認をすると、その触れた軌跡が記録部に記録される。運転終了後、記録部の記録を再生することにより、Ｌ字確認動作を確認することができる。
【０００８】
請求項２に係る時刻表システムによると、訓練生がタッチパネル式表示器に表示された時刻表に触れてＬ字確認をすると、その触れた軌跡が評価部において、Ｌ字確認動作を評価することができる。
【実施例１】
【０００９】
図１（ａ）は、本発明の実施例１に係る時刻表システムの一例の機能ブロック図である。実施例１は実車に適用する時刻表システムである。図１（ａ）において、１０１は運転台の時刻表を表示するタッチパネル式表示器、１０２はＩＣカードリーダライタ、１０３は表示器への操作データを記録する記録部としてのＩＣカード、１０４は時刻表発生計算機である。
時刻表発生計算機１０４は、運転士が運転する前に、走行する路線の時刻表を駅の着時刻、発車時刻、通過時刻等の時刻表データを作成しておき、タッチパネル式表示器１０１に表示できるようなデータにして、ＩＣカード１０３に記録する。
タッチパネル式表示器１０１は、表示器として液晶パネルを用い、タッチパネルを内蔵したもので、表示面を触れることでその位置とともに触れたことを感知する。
運転士は、前記時刻表データを記録したＩＣカード１０３を運転席のＩＣカードリーダライタ１０２に接触させる。読み取られたデータはタッチパネル式表示器１０１により時刻表として表示面の所定位置に表示される。運転士の指が表示面に触れこれを感知すると、予め表示面位置と時刻表の表示内容とは対応がとれているから、時刻表のどの部分に触れているかを対応付けることができる。
運転士は、異常がないときはダイヤ通りの走行をする。駅から出発時、到着時又は駅間走行時（ポイント）で時刻表を確認する。このとき、運転士は、時刻表に示された所定位置において通過したことをタッチパネル式表示器１０１の面を上から下に指で縦方向になぞってその位置を確認し、さらにそこから指で横になぞってその位置の時刻を確認する動作（Ｌ字確認）をしながら走行する。運転士が、指で触れ、なぞった点はタッチパネル式表示器１０１により検知され、その点の時間経過における連続軌跡がＩＣカードリーダライタ１０２を介してＩＣカード１０３に記録される。さらに、ＩＣカード１０３には、経過中の各時刻における時速によりその時刻の走行距離が計算され記録される。
運転終了後、ＩＣカード１０３をＩＣカードリーダライタ１０２から離し、所定の場所で図示しないカードリーダでデータを読み出し時刻経過に従ったＬ字確認動作及び走行記録を確認することができる。
なお、異常が発生しない場合は、ダイヤ通り走行するが、異常が発生してダイヤがくるったような時は、運転司令所から修正ダイヤデータを無線等で送信し、ＩＣカード１０３、ＩＣカードリーダライタ１０２を介してタッチパネル式表示器１０１の時刻表に表示するようにしてもよい。
【実施例２】
【００１０】
図１（ｂ）は、本発明の実施例２に係る時刻表システムの一例の機能ブロック図である。実施例２はシミュレータに適用する時刻表システムである。図１（ｂ）において、１０１は運転台の時刻表を表示するタッチパネル式表示器、１０４は時刻表発生計算機、１０５は前記時刻表発生計算機１０４に内蔵され前記表示器１０１への操作データを記録する記録部、１０６はシミュレータ主計算機である。時刻表発生計算機１０４とシミュレータ主計算機１０６とで評価部１０７を構成する。
シミュレータ主計算機１０６は図示しない画像発生装置を接続している。画像発生装置は、ＣＧ（コンピュータグラフィックス）により、訓練生が体験する車線の運転席から見た情景を生成し、運転操作に従って変化するように制御され、昼、夜等の時間設定に対応した映像を生成する。この映像は図示しないシミュレータ用の表示装置に表示する。また、図示しない画像発生装置においては、急行、普通等の走行ルートも自由に変更可能である。
シミュレータ主計算機１０６は、時刻表に表示すべき内容を設定（通過位置、停車駅等とその位置に対応する時刻の設定）し、時刻表発生計算機１０４に渡す。
時刻表発生計算機１０４は、シミュレータ主計算機１０６からの指示により、渡されたデータをタッチパネル式表示器１０１に表示できるようなデータに加工する。
タッチパネル式表示器１０１は、表示器として液晶パネルを用い、タッチパネルを内蔵したもので、表示面を触れることでその位置とともに触れたことを感知する。
例えば、教官が訓練走行する路線を選択すると、シミュレータ主計算機１０６において設定された時刻表に表示すべき内容が、時刻表発生計算機１０４に送られ、所定の時刻表が作成される。作成された時刻表のデータは、タッチパネル式表示器１０１において時刻表として表示面の所定位置に表示される。訓練生の指が表示面に触れこれを感知すると、予め表示面位置と時刻表の表示内容とは対応がとれているから、時刻表のどの部分に触れているかを対応付けることができる。
訓練生は、異常がないときはダイヤ通りの模擬走行の操作をする。駅から出発時、到着時又は駅間走行時（ポイント）で時刻表を確認する。このとき、訓練生は、時刻表に示された所定位置において通過したことをタッチパネル式表示器１０１の面を上から下に指で縦方向になぞってその位置を確認し、さらにそこから指で横になぞってその位置の時刻を確認する動作（Ｌ字確認）をしながら走行する。訓練生が、指で触れ、なぞった点はタッチパネル式表示器１０１により検知され、その点の時間経過における連続軌跡が記録部１０５に記録されるとともに、時刻発生計算機１０４は当該訓練過程において動作すべき正しいＬ字確認動作の判定基準と前記連続軌跡と照らし合わせ評価し、その評価結果を記録する。
シミュレータ主計算機１０６は、現在模擬車両が走行しているルート、その時刻及び走行地点を管理しているから、正しい走行場所で、時刻表に記載されている正しい位置を、訓練生が認識してＬ字確認をしているかを、時刻発生計算機１０４からの評価データにおける時間データに対応したＬ字確認動作と、シミュレータ主計算機１０６における管理時刻についての所定の確認項目とを比較することにより、当該訓練過程全体について総合的な評価を行う。
この、シミュレータ主計算機１０６における評価データの評価は、上記のように訓練時に時刻発生計算機１０４から直ちに評価データを得て評価を行う他、訓練後に記憶部１０５から評価データを読み出して、評価データにおける時間データに対応したＬ字確認動作と、シミュレータ主計算機１０６における管理時刻についての所定の確認項目とを比較することにより、総合的な評価を行うこともできる。
上記例では、個々のＬ字確認動作の評価を時刻表発生計算機１０４で行い、そのＬ字確認について走行位置との関係での評価をシミュレータ主計算機１０６で行い、その結果評価部１０７を時刻表発生計算機１０４とシミュレータ主計算機１０６とで構成しているが、時刻表発生計算機１０４のみあるいはシミュレータ主計算機１０６のみで上記のような評価部を構成してもよい。
【図面の簡単な説明】
【００１１】
【図１】時刻表システムの実施例の機能ブロック図である。
【符号の説明】
【００１２】
１０１…タッチパネル式表示器、１０２…ＩＣカードリーダライタ、１０３…ＩＣカード、１０４…時刻表発生計算機、１０５…記録部、１０６…シミュレータ主計算機。
【図１】
0004732810.tif 000002